(57)【要約】【課題】自動車用ランプやＥ型、ＭＲ型及び他の仕様のジョイントを有する各種類のＬＥＤランプである各種類の発光ユニットに応用でき、各種類の発光ユニットの放熱効果が向上され、パワーを増大でき、また、発光ユニットの耐用寿命が向上される光源導熱構造を提供する。【解決手段】ランプカップと導熱ベースとを一体にし、ランプカップが、上縁の幅を拡大されることにより、ランプケースに緊密に接触でき、これにより、発光ユニットの熱量が、接触により伝達され、ランプカップとランプケースとにより、全体として、放熱機能を有し、また、ランプカップの周りに複数の導熱シートが設けられ、導熱シートの一端がランプカップの周りに肯定され、もう一端がランプケースに接触するため、発光ユニットからランプカップに伝達した熱量が、導熱シートによりランプケースへ伝達され、そのため、放熱の面積を拡大することにより、放熱効率が向上される。【選択図】図２
0003125836.tif 000002
【実用新案登録請求の範囲】
【請求項１】
照明光源とする発光ユニットと、
発光ユニットが積載され、電源に接続するためのピンや嵌合ジョイントが設けられ、より良い導熱材質からなり、発光ユニットの熱量を外部へ導く導熱ベースと、
熱量を伝達できる材質からなり、放熱することができるランプカップと、
ランプカップに実装され、ランプケースに接触して、接触により熱エネルギーを伝達できる少なくとも一つ以上の導熱シートと、
が含有される、ことを特徴とする光源導熱構造。
【請求項２】
ランプカップの周りに、複数の導熱シートが設けられ、当該導熱シートの一端が、ランプカップに固定され、もう一端が、ランプケースに接触することを特徴とする請求項１に記載の光源導熱構造。
【請求項３】
導熱ベースが、良い導熱性を有する材質からなり、自動車用ランプやＥ型、ＭＲ型及び他の仕様のジョイントを有する各種類のＬＥＤランプに設置できることを特徴とする請求項１に記載の光源導熱構造。
【請求項４】
ランプカップの下方に孔槽が設けられ、当該孔槽内の平面が、導熱ベースに緊密に貼り付く貼り付け面であることを特徴とする請求項１に記載の光源導熱構造。
【請求項５】
発光ユニットが、自動車用ランプやＥ型、ＭＲ型及び他の仕様のジョイントを有する各種類のＬＥＤランプであることを特徴とする請求項１に記載の光源導熱構造。
【考案の詳細な説明】
【技術分野】
【０００１】
本考案は、光源導熱構造に関し、特に、ランプカップと導熱ベースとを一体にして、良い導熱性を持つ導熱ベースにより、各種類の発光ユニット装置が実装され、ランプカップと導熱ベース及び発光ユニット自身のランプケースにより、放熱面積を増大して、放熱効果が大幅に向上されるものに関する。
【背景技術】
【０００２】
図１と１の１を参照しながら、従来の灯源構造１は、発光ダイオード（ＬＥＤ）を光源として、幅広く応用され、例えば、投射灯や懐中電灯、自動車用灯、紫外線と赤外線光源構造、一般の照明光源構造であるデスクランプ、信号灯、室内ランプ及び空港の滑走路のリーディングランプであり、比較的に安定の光源輝度を提供でき、また、メンテナンスのコストを低減できるが、ユーザーがより高い輝度を要求し、また、高パワーを要求する場合、ランプの発光ダイオード１２（ＬＥＤ）の数を増加することしかできず、発光ダイオード１２（ＬＥＤ）の数を増加することにより、輝度の不足が改善されても、放熱不足の問題を解決しなければならない。
【０００３】
従来の灯源構造１は、本体内側の中央部１１により、熱量を空気へ伝達でき、従来の灯源構造１は、従来のランプカップ１０の内側にある中央部１１に、複数の発光ダイオード１２が設けられ、点灯すると、発光ダイオード１２が発光して熱量を生成し、この時、中央部１１が空気に接触することと発光ダイオード１２自身により、熱エネルギーが空気へ放熱されるが、従来のランプカップ１０がランプケース１３に実装され、また、ランプカップ１０とランプケース１３とが接触していないため、熱量が容易にランプケース１３に伝達することができない。放熱機能が良くない為、温度が高くなって、全体として、放熱効果が悪くなり、パワーや輝度を増やせば、情況がより厳しくなる一方である。そのため、従来の灯源構造１は、電流が限られるため、チップのパワーや輝度を増大できず、また、放熱機能が悪いため、耐用寿命が低減される問題がある。
【考案の開示】
【考案が解決しようとする課題】
【０００４】
本考案の目的は、ランプカップと導熱ベースとを一体にして、良い導熱性を持つ導熱ベースにより、各種類の発光ユニット装置が実装され、ランプカップと導熱ベース及び発光ユニット自身のランプケースにより、放熱面積を増大して、放熱効果が大幅に向上される光源導熱構造を提供する。
【課題を解決するための手段】
【０００５】
請求項１の考案は、照明光源とする発光ユニットと、発光ユニットが積載され、電源に接続するためのピンや嵌合ジョイントが設けられ、より良い導熱材質からなり、発光ユニットの熱量を外部へ導く導熱ベースと、熱量を伝達できる材質からなり、放熱することができるランプカップと、ランプカップに実装され、ランプケースに接触して、接触により熱エネルギーを伝達できる少なくとも一つ以上の導熱シートと、が含有される、ことを特徴とする光源導熱構造である。
【０００６】
請求項２の考案は、ランプカップの周りに、複数の導熱シートが設けられ、当該導熱シートの一端が、ランプカップに固定され、もう一端が、ランプケースに接触することを特徴とする請求項１に記載の光源導熱構造である。
【０００７】
請求項３の考案は、導熱ベースが、良い導熱性を有する材質からなり、自動車用ランプやＥ型、ＭＲ型及び他の仕様のジョイントを有する各種類のＬＥＤランプに設置できることを特徴とする請求項１に記載の光源導熱構造である。
【０００８】
請求項４の考案は、ランプカップの下方に孔槽が設けられ、当該孔槽内の平面が、導熱ベースに緊密に貼り付く貼り付け面であることを特徴とする請求項１に記載の光源導熱構造である。
【０００９】
請求項５の考案は、発光ユニットが、自動車用ランプやＥ型、ＭＲ型及び他の仕様のジョイントを有する各種類のＬＥＤランプであることを特徴とする請求項１に記載の光源導熱構造である。
【考案を実施するための最良の形態】
【００１０】
本考案は、図２を参照しながら、発光ダイオードや各種類のランプに応用でき、当該光源導熱構造は、主として、ランプカップ２１と導熱ベース２２と導熱シート２３とから構成され、ランプカップ２１の上方に、空気との接触面積を増大して放熱効果を改善するための複数の環状凹槽２１１が設けられ、ランプカップ２１は、導熱ベースであり、導熱ベースの下方にピン２２２が設けられ、導熱ベース上にある積載面２２１により、発光ダイオードのチップ２２３が実装され、また、金属線２２４が接続され、図３は、本考案に係わる光源導熱構造３とランプケース３５の断面図であり、同図のように、灯笠３１の下方に位置するランプカップ３２の上縁の幅が拡大され、これにより、上方に位置する環状開口がランプケース３５に接触することができて、ランプカップ３２の熱量がランプケース３５に伝達され、ランプカップ３２の周りに、等距離のように、複数の導熱シート３３が設けられ、その末端が、同一方向に、円弧状に形成され、各導熱シート３３の根部が、緊密にランプケース３５に接触し、これにより、導熱シート３３自身により大きい空気と接触する面積があるだけでなく、熱量がランプケース３５に伝達される速度も加速され、そのため、光源導熱構造３の放熱性が、従来の灯源構造１より良くなり、ランプカップ３２の下端に、嵌合ジョイント３４が設けられ、当該嵌合ジョイント３４により、自動車用灯座に螺合されることができ、ランプカップ３２と嵌合ジョイント３４との間に、嵌合ジョイント３４により自動車用電源をランプカップ３２に導かないように環状絶縁物があり、これにより、光源導熱構造３をメンテナンスや使用する時の安全性が確保される。
【００１１】
図４は、光源導熱構造４を自動車用ランプに応用する時の実施例であり、灯笠４１の下方に、ランプカップ４２が設けられ、ランプカップ４２の下端に、嵌合ジョイント４４が設けられ、当該嵌合ジョイント４４により、自動車用灯座に螺合されることができ、また、ランプカップ４２と嵌合ジョイント４４との間に、嵌合ジョイント４４により自動車用電源をランプカップ４２に導かないように、環状絶縁物が設けられ、これにより、光源導熱構造４をメンテナンスや使用する時の安全性が確保され、嵌合ジョイント４４により自動車用灯座に螺合される時、導熱シート４３がランプケースに接触することにより、熱量が外部へ伝達される。
【００１２】
図５は、当該光源導熱構造５をＭＲ型壁灯ランプに応用する実施例であり、灯笠５１の下方にランプカップ５２が設けられ、ランプカップ５２の下端にジョイント５４が形成され、当該ジョイント５４により壁灯用灯座に挿設することができ、また、導熱シート５３により空気と接触する面積が増大されるため、熱量が快速的に外部へ伝達される。
【００１３】
図６は、光源導熱構造６をＥ型ランプに応用する実施例であり、灯笠６１の下方に、ランプカップ６２が設けられ、ランプカップ６２の下端に、螺合ジョイント６５が設けられ、当該螺合ジョイント６５により、一般の家庭用灯座に螺合することができ、また、ランプカップ６２と螺合ジョイント６５との間に、螺合ジョイント６５により家庭用電源をランプカップ６２に導かないように、環状絶縁物６４が設けられ、これにより、光源導熱構造６をメンテナンスや使用する安全性が確保され、螺合ジョイント６５により一般の家庭用灯座に螺合される時、導熱シート６３により空気と接触する面積が増大されるため、熱量が快速的に外部へ伝達される。
【００１４】
本考案によれば、次の利点が得られる。
【００１５】
１、ランプカップの外縁に複数の凹槽が設けられるため、導熱シートを固定できるだけでなく、空気との接触面積を拡大でき、放熱効果が改善される。
【００１６】
２、ランプカップの外縁に等距離のように複数の導熱シートが設けられ、複数の導熱シートの根部がランプケースに緊密に接触するため、熱量が快速的に外部へ伝達でき、放熱エネルギー力が更に向上される。
【００１７】
３、放熱エネルギー力が向上されるため、発光ダイオードのパワーや輝度を大きくすることができ、より少数のチップにより、ユーザーの需要に満足できる。
【００１８】
４、より良い放熱エネルギー力を持つため、発光ユニットの耐用寿命が向上される。
【００１９】
５、材料コストを節約できるため、業界での競争力が向上される。
【図面の簡単な説明】
【００２０】
【図１】従来のＬＥＤ灯源構造の立体図
【図１−１】従来の灯源構造の断面図
【図２】本考案の光源導熱構造の立体図
【図３】光源導熱構造とランプケースの断面図
【図４】光源導熱構造の第１の実施例の概念図
【図５】光源導熱構造の第２の実施例の概念図
【図６】光源導熱構造の第３の実施例の概念図
【符号の説明】
【００２１】
１                 従来灯源構造
１０               ランプカップ
１１               中央部
１２               発光ダイオード
１３               ランプケース
１４               ピン
２                 光源導熱構造
２１               ランプカップ
２１１      凹槽
２２               導熱ベース
２２１      積載面
２２２      ピン
２２３      チップ
２２４      金属線
２３               導熱シート
３                 光源導熱構造
３１               灯笠
３２               ランプカップ
３３               導熱シート
３４               嵌合ジョイント
３５               ランプケース
４                 光源導熱構造
４１               灯笠
４２               ランプカップ
４３               導熱シート
４４               嵌合ジョイント
５                 光源導熱構造
５１               灯笠
５２               ランプカップ
５３               導熱シート
５４               ジョイント
６                 光源導熱構造
６１               灯笠
６２               ランプカップ
６３               導熱シート
６４               絶縁體
６５               螺合ジョイント
【図１】
0003125836.tif 000003
【図１−１】
0003125836.tif 000004
【図２】
0003125836.tif 000005
【図３】
0003125836.tif 000006
【図４】
0003125836.tif 000007
【図５】
0003125836.tif 000008
【図６】
0003125836.tif 000009